(57)【特許請求の範囲】
【請求項１】
周縁に立上がり壁（１１）のあるケース基体（１０）を備え、周縁に立下がり壁（３１）のある蓋体（３０）を備え、前記ケース基体（１０）・蓋体（３０）を前記立上がり壁（１１）・立下がり壁（３１）が相互に連接するように閉合して薄形箱状の器具ケースを構成し、前記器具ケース内に配置される枠状の器具本体枠（２０）を備え、前記器具本体枠（２０）の内部に固定される非常時電源用の蓄電池（４１）および光源（４２）を備え、前記ケース基体（１０）・蓋体（３０）の少なくとも一方に形成される開口（１９・３９）に配置され前記光源（４２）にて内側から照射される表示パネル（５０）を備え、
前記立下がり壁（３１）に複数の蓋体係止用爪（３２）を該立下がり壁（３１）から突出するように形成し、前記器具本体枠（２０）に複数の枠係止用係合部（２１）を形成し、前記ケース基体（１０）に前記蓋体係止用爪（３２）と着脱自在に係合する複数の蓋体係止用爪受溝（１２）を形成し、前記ケース基体（１０）に前記枠係止用係合部（２１）と着脱自在に係合する複数の枠係止用爪（１３）を形成し、
前記蓋体係止用爪（３２）・蓋体係止用爪受溝（１２）・枠係止用係合部（２１）・枠係止用爪（１３）の配置を前記蓋体係止用爪受溝（１２）・枠係止用爪（１３）が対をなしその両者が前記ケース基体（１０）上で隣接するように定め、
前記ケース基体（１０）・蓋体（３０）をそれぞれ合成樹脂で一体に成形することを特徴とする蓄電池内蔵形表示灯。
【発明の詳細な説明】
【０００１】
【発明の属する技術分野】
本発明はケース基体・蓋体・器具本体枠・表示パネルを備える蓄電池内蔵形表示灯に関するものである。
【０００２】
【発明が解決しようとする課題】
従来の蓄電池内蔵形表示灯は蓋体を合成樹脂で形成するが、これに組付けるその他の構造部品は金属製である。外形的にみれば、合成樹脂品（蓋体）と金属製品の結合体となる。
その外形の全てを合成樹脂品とすることができれば安価となる。この場合は主要部をケース基体・蓋体・器具本体枠で構成し、ケース基体・蓋体を閉合して薄形箱状の器具ケースを構成し、その中に金属製の器具本体枠を納める構造となる。しかし、この場合は上記三者の結合構造が問題となる。ケース基体・蓋体をそれぞれ合成樹脂で一体に安価に形成することが可能な結合構造でなければならない。  本発明の目的はケース基体・蓋体をそれぞれ合成樹脂で一体に安価に形成することが可能な結合構造を提供することである。
【０００３】
【課題を解決するための手段】
本発明は周縁に立上がり壁のあるケース基体を備える。周縁に立下がり壁のある蓋体を備える。前記ケース基体・蓋体を前記立上がり壁・立下がり壁が相互に連接するように閉合して薄形箱状の器具ケースを構成する。前記器具ケース内に配置される枠状の器具本体枠を備える。前記器具本体枠の内部に固定される非常時電源用の蓄電池および光源を備える。前記ケース基体・蓋体の少なくとも一方に形成される開口に配置され前記光源にて内側から照射される表示パネルを備える。
前記立下がり壁に複数の蓋体係止用爪を該立下がり壁から突出するように形成する。前記器具本体枠に複数の枠係止用係合部を形成する。前記ケース基体に前記蓋体係止用爪と着脱自在に係合する複数の蓋体係止用爪受溝を形成する。前記ケース基体に前記枠係止用係合部と着脱自在に係合する複数の枠係止用爪を形成する。
前記蓋体係止用爪・蓋体係止用爪受溝・枠係止用係合部・枠係止用爪の配置を前記蓋体係止用爪受溝・枠係止用爪が対をなしその両者が前記ケース基体上で隣接するように定める。前記ケース基体・蓋体をそれぞれ合成樹脂で一体に成形する。
【０００４】
【発明の実施の形態】
図１〜図６を用いて本発明の実施形態について説明する。図示の蓄電池内蔵形表示灯は周縁に立上がり壁１１のあるケース基体１０を備える。周縁に立下がり壁３１のある蓋体３０を備える。ケース基体１０・蓋体３０を立上がり壁１１・立下がり壁３１が相互に連接するように閉合して薄形箱状の器具ケース１０３０を構成する。器具ケース１０３０内に配置される枠状の器具本体枠２０を備える。器具本体枠２０の内部に固定される非常時電源用蓄電池４１および光源４２を備える。ケース基体１０・蓋体３０の少なくとも一方に形成される開口１９・３９に配置され光源４２にて内側から照射される表示パネル５０を備える。立下がり壁３１に複数の蓋体係止用爪３２を該立下がり壁３１から突出するように形成する。器具本体枠２０に複数の枠係止用係合部２１を形成する。ケース基体１０に蓋体係止用爪３２と着脱自在に係合する複数の蓋体係止用爪受溝１２を形成する。ケース基体１０に枠係止用係合部２１と着脱自在に係合する複数の枠係止用爪１３を形成する。蓋体係止用爪３２・蓋体係止用爪受溝１２・枠係止用係合部２１・枠係止用爪１３の配置を蓋体係止用爪受溝１２・枠係止用爪１３が対をなしその両者がケース基体１０上で隣接するように定める。ケース基体１０・蓋体３０をそれぞれ合成樹脂で一体に成形する。ケース基体１０について補足する。開口１９には表示パネル５０を配置するが、その側にそれを配置する必要がない場合は図外の覆い板を配置する。覆い板の固定に爪１４・ねじ孔付突起１５を利用する。表示パネル５０の固定にも爪１４・ねじ孔付突起１５を利用する。後者の場合はねじ孔付突起１５に固定されて表示パネル５０の一側を押さえる図外の添え具を併用する。１６は開口１９周囲の必要箇所に立設した反射板部である。反射板部１６は光源４２の光を反射し中央側へ転向させる。蓋体係止用爪受溝１２・枠係止用爪１３の対は４組ある。各蓋体係止用爪受溝１２・枠係止用爪１３は立上がり壁１１の立上がり方向に並置される。立上がり壁１１に沿って見た場合は蓋体係止用爪受溝１２と枠係止用爪１３とが重なって見える。この箇所を含むケース基体１０全体を合成樹脂で一体に形成するが、各蓋体係止用爪受溝１２および枠係止用爪１３の箇所を通常の開閉金型だけで形成することはできない。各蓋体係止用爪受溝１２・枠係止用爪１３に係合のための掛かり代が必要であり、掛かり代は金型成形の場合の型開き（型抜き）方向からは見えない面を形成するために、型開きを妨げる。このために型開き方向に対して傾斜する方向へ動き得る周知のスライドコア（中子）を併用する。蓋体係止用爪受溝１２・枠係止用爪１３を対にしてかつ隣接配置する理由は同じ小形のスライドコアで一対の蓋体係止用爪受溝１２および枠係止用爪１３をまとめて形成可能とするためである。それによってスライドコアの数を減らし、安価に一体成形ができるようになる。図６の１０ａ・１０ｂはスライドコア（たとえばアンギュラピン）の幅に該当するが、成形後のケース基体１０に線１０ａ・１０ｂの痕跡が残る。
【０００５】
蓋体３０について補足する。３３は立下がり壁３１から一体に延在する舌片であり、その先に蓋体係止用爪３２が形成される。３４は複数の爪であり、開口３９を塞ぐように配置される表示パネル５０の縁を弾発的に係合する。表示パネル５０には周知の誘導シンボルマークが描かれている。図示例においては開口３９を図外の覆い板で塞ぐことは予定していない。図示例の表示灯は誘導灯である。３５は開口３９周囲の必要箇所に立設した反射板部である。反射板部３５は前記反射板部１６と同様のものである。
器具本体枠２０について補足する。器具本体枠２０に蓄電池４１・光源４２ならびにその他の部品が固定される。蓄電池４１は非常時に点灯用電源として機能する。４３は蓄電池取付台である。光源４２はコンパクト形蛍光ランプ（方口金形蛍光ランプ）である。４４はそれのソケットである。４５は点灯用安定器、４６は速結形端子台、４７は点検スイッチ、４８はモニターランプ、４９は充電装置である。充電装置４９は常時は蓄電池４１を充電し、非常時は蓄電池４１からの給電を受けて働くインバータ形点灯装置として機能する。常時は点灯用安定器４５による低周波点灯、非常時は充電装置４９による高周波点灯となる。充電装置４９の外箱は反射板を兼ねる。器具本体枠２０はコ字形部２０ａとＩ形部２０ｂをロ字形に結合した金属製部品である。使用上の配置の点ではコ字形部２０ａ下側、Ｉ形部２０ｂが上側となる。Ｉ形部２０ｂに電源配線孔２２・取付け孔２３が形成される。ケース基体１０における電源配線孔２２・取付け孔２３に対応する位置にも同様の孔が形成されている。
係合構造について補足する。図５に示すように、蓋体係止用爪３２・蓋体係止用爪受溝１２間の係合は一種の凹凸嵌合である。枠係止用係合部２１・枠係止用爪１３間の係合は引掛かけ形嵌合である。蓋体係止用爪３２・蓋体係止用爪受溝１２間の係合解除は蓋体係止用爪３２・舌片３３のある箇所の立下がり壁３１を局部的に押して行う。枠係止用係合部２１・枠係止用爪１３間の係合解除は蓋体３０除去後に立上がり壁１１・器具本体枠２０間に形成した隙間２９にマイナスドライバの刃先を差し込んで行う。
【０００６】
【発明の効果】
本発明においてはケース基体・蓋体をそれぞれ合成樹脂で一体に形成するので、安価である。また、ケース基体・器具本体枠・蓋体相互を係合するために、蓋体係止用爪・蓋体係止用爪受溝・枠係止用係合部・枠係止用爪を用いるが、それらの配置を蓋体係止用爪受溝・枠係止用爪が対をなしその両者がケース基体上で隣接するように定めたので、安価に成形することができる。
【図面の簡単な説明】
【図１】  本発明に係る蓄電池内蔵形表示灯を示す斜視図である。
【図２】  同蓄電池内蔵形表示灯の蓋体を示す拡大斜視図である。
【図３】  同蓄電池内蔵形表示灯の器具本体枠を示す拡大斜視図である。
【図４】  同蓄電池内蔵形表示灯のケース基体を示す拡大斜視図である。
【図５】  同蓄電池内蔵形表示灯の係合構造を示す要部拡大断面図である。
【図６】  前記器具本体枠を内側からみた要部拡大側面図である。
【符号の説明】
１０：ケース基体、１１：立上がり壁、１２：蓋体係止用爪受溝、
１３：枠係止用爪、１４：爪、１５：ねじ孔付突起、１６：反射板部、
１９：開口、２０：器具本体枠、２０ａ：コ字形部、２０ｂ：Ｉ形部、
２１：枠係止用係合部、２２：電源配線孔、２３：取付け孔、２９：隙間、
３０：蓋体、３１：立下がり壁、３２：蓋体係止用爪、３３：舌片、
３４：爪、３５：反射板部、３９：開口、４１：蓄電池、４２：光源、
４３：蓄電池取付台、４４：ソケット、４５：点灯用安定器、
４６：速結形端子台、４７：点検スイッチ、４８：モニターランプ、
４９：充電装置、５０：表示パネル、
【図１】
0004293384.tif 000002
【図２】
0004293384.tif 000003
【図３】
0004293384.tif 000004
【図４】
0004293384.tif 000005
【図５】
0004293384.tif 000006
【図６】
0004293384.tif 000007